(57)【特許請求の範囲】
【請求項１】
一方の面が開放面とされた筐体と、
この筐体内に設けられ、外部に入力端子及び出力端子を有し、内部に前記入力端子から供給された信号を増幅して、前記出力端子に出力する増幅部を有する増幅ケースと、
内部に前記増幅部への電源供給用の電源部を有し、この電源部からの電源を出力すると共に、前記出力端子に接続されたとき前記増幅部から増幅された信号が入力される端子を外部に有し、前記筐体内において前記増幅ケースに対して着脱自在に設けられた電源ケースと、
前記増幅ケースにおける前記筐体の開放面側に設けられ、前記増幅部に電源を供給可能に接続された第１電源端子と、
前記電源ケースにおける前記筐体の開放面側に設けられ、前記電源部に接続された第２電源端子と、
前記増幅ケースに前記電源ケースが装着された状態において、第１及び第２電源端子間を着脱自在に接続する導体と、
前記増幅ケースに対して前記電源ケースが非装着状態において、前記端子と前記出力端子との接続によって、前記増幅部に前記電源が供給されるように前記出力端子と前記増幅部との間に設けられた電源分離部と、
前記増幅ケースに前記電源ケースが装着された状態において、前記増幅ケースと前記電源ケースとの接触面を跨いで一直線状に前記増幅ケースと前記電源ケースとの前記筐体の開放面側にそれぞれ位置する２つの溝とを、
具備し、前記２つの溝のうち前記増幅ケース側の溝内に前記第１電源端子が設けられ、前記２つの溝のうち前記電源ケース側の溝内に前記第２電源端子が設けられ、前記導体は、これら溝間に収容されて、前記第１及び第２の電源端子に接続される増幅器。
【請求項２】
請求項１記載の増幅器において、前記導体はヒューズである増幅器。
【請求項３】
請求項１記載の増幅器において、前記増幅ケース及び前記電源ケースは、前記筐体の開放面に対してほぼ垂直な接触面を有し、これら接触面に前記開放面側から前記筐体内に向けて前記電源ケースを移動させることによって装着可能とする係合部と係止部とが設けられている増幅器。
【発明の詳細な説明】
【０００１】
【発明の属する技術分野】
本発明は、増幅器に関し、特に、信号を増幅する増幅部と、この増幅部に対する電源部とを備えるものに関する。
【０００２】
【従来の技術】
増幅部と電源部とを備えた増幅器としては、例えばアンテナで受信したテレビジョン放送信号を増幅して、テレビジョン受信機に供給するブースタがある。このブースタには、例えば１つの筐体内に増幅部と電源部とが組み込まれている電源内蔵形と、増幅部と電源部とがそれぞれ別の筐体に収容された電源分離形とがある。
【０００３】
【発明が解決しようとする課題】
電源内蔵形のブースタでは、筐体を１つにできるという利点があるが、ブースタを、例えば商用交流電源の近辺に配置しなければならず、設置場所が制約されると言う問題がある。更に、電源内蔵形のブースタを屋外に設置する場合には、筐体を防滴を施した別のケースに収容するか、防滴性能を有する電源コンセント、プラグが必要である。電源分離形では、増幅部の設置場所が商用交流電源の近辺に制約されることはないが、電源部と増幅部とで個別の筐体が必要となり、コスト増を招く。このように電源内蔵形と電源分離形とは、それぞれ長所、短所があるので、ブースタの使用環境に適したものが選択されて使用されている。そのため、メーカーは、両タイプをそれぞれ製造しなければならず、また、工事業者も両タイプをストックしなければならず、管理が面倒であった。
【０００４】
本発明は、電源内蔵形及び電源分離形いずれでも使用可能とし、管理を容易にした増幅器を提供することを目的とする。
【０００５】
【課題を解決するための手段】
本発明による増幅器は、一方の面が開放面とされた筐体を有している。この筐体には、開放面を閉じる蓋が設けられている。この筐体内に増幅ケースが設けられている。増幅ケースの外部に入力端子及び出力端子が設けられて、増幅ケースの内部に増幅部が設けられている。増幅部は、前記入力端子から供給された信号を増幅して、前記出力端子に出力する。増幅ケースに対して着脱自在に電源ケースが設けられている。この電源ケースの内部に前記増幅部への電源供給用の電源部が設けられている。更に、電源ケースの外部に端子が設けられている。この端子から、電源部からの電源が出力される。この端子が、前記増幅ケースの出力端子に接続されたとき、前記増幅部から増幅された信号がこの端子に入力される。これらケースは、防水構造とすることが望ましい。増幅ケースにおける前記筐体の開放面側に第１電源端子が設けられている。第１電源端子は、前記増幅部に電源を供給するように接続されている。前記電源ケースにおける前記筐体の開放面側に第２電源端子が設けられている。第２電源端子は、前記電源部に接続されている。前記増幅ケースに前記電源ケースが装着された状態において、第１及び第２電源端子間を導体が着脱自在に接続している。第１及び第２電源端子は、この導体をそれぞれ挟持するように導体よりも若干幅寸法が小さく、かつ可撓性を有することが望ましい。前記増幅ケースに対して前記電源ケースが非装着状態において、前記端子と前記出力端子との接続によって、前記増幅部に前記電源が供給されるように、前記出力端子と前記増幅部との間に電源分離部が設けられている。
【０００６】
この増幅器では、増幅ケースに電源ケースを装着し、導体によって第１及び第２電源端子を接続すると、電源内蔵形として使用でき、増幅ケースと電源ケースとを分離し、増幅ケースの出力端子と電源ケースの端子とを接続すると、電源分離形として使用することができる。特に電源内蔵形として使用する場合、導体を第１及び第２電源端子間に接続するだけでよいので、接続作業が容易である。また、電源内蔵形の状態から電源分離形とする場合でも、導体を第１及び第２電源端子間から除去するだけでよいので、作業が容易である。
【０００７】
前記増幅ケースに前記電源ケースが装着された状態において、前記増幅ケースと前記電源ケースとの接触面を跨いで一直線状に前記増幅ケースと前記電源ケースとの前記筐体の開放面側に２つの溝が、それぞれ位置している。前記２つの溝のうち前記増幅ケース側の溝内に前記第１電源端子が設けられ、前記２つの溝のうち前記電源ケース側の溝内に前記第２電源端子が設けられている。前記導体は、これら溝間に収容されて、前記第１及び第２の電源端子に接続される。
【０００８】
このように構成した場合、導体や第１及び第２電源端子が電源ケースや増幅ケースから突出することがなく、筐体を小型化することができる。
【０００９】
前記導体はヒューズとすることもできる。この場合、電源部から過大な電流が増幅部に流れると、ヒューズが溶断されるので、増幅部を過電流から保護することができる。
【００１０】
前記増幅ケース及び前記電源ケースは、前記筐体の開放面に対してほぼ垂直な接触面を有するものとできる。この場合、これら接触面に前記開放面側から前記筐体内に向けて前記電源ケースを移動させることによって装着可能とする係合部と係止部とが設けられている。
【００１１】
このように構成すると、電源ケースを開放面に対して垂直な方向に移動させるだけで、電源ケースを増幅ケースに対して着脱することができ、着脱作業を容易にすることができる。
【００１２】
【発明の実施の形態】
本発明の１実施形態の増幅器は、図１に示すように、筐体２を有している。この筐体２は、一方の面が開放された偏平な直方体状に、例えば合成樹脂によって形成されている。図示していないが、この開放面は、蓋によって閉塞される。
【００１３】
この筐体２内に増幅ケース４が取り付けられている。この増幅ケース４は、防水構造とされた金属製の直方体状に形成され、その一方の端面に共に接栓形の入力端子６、出力端子８が取り付けられている。入力端子６及び出力端子８は、図２に示すように、増幅ケース４を筐体２に取り付けたとき、筐体の一方の端面から外部に突出する。そのため、筐体２の端面には切り欠き１０、１２が形成されている。
【００１４】
図３（ａ）及び（ｂ）に示すように、増幅ケース４内には、増幅部１４が設けられている。増幅部１４は、入力端子６から供給された信号、例えば高周波信号、詳細にはアンテナによって受信されたテレビジョン放送信号を増幅し、出力端子８に出力する。また、出力端子８に供給された直流電源によって、増幅部１４を動作させるために、出力端子８と増幅部１４の電源端子１４Ｐとの間には、電源分離部１８が設けられている。
【００１５】
即ち、出力端子８と増幅部１４の出力側との間には電源阻止コンデンサ１６が設けられ、更に、出力端子８には高周波阻止コイル２０の一端が接続され、その他端には逆流阻止ダイオード２２のアノードが接続され、カソードは高周波阻止コイル２４を介して電源端子１４Ｐに接続されている。２６、２６はバイパスコンデンサである。従って、増幅部１４からのテレビジョン放送信号は、電源阻止コンデンサ１６を介して出力端子８に供給され、出力端子８に外部から供給された直流電源は、高周波阻止コイル２０、逆流阻止ダイオード２２、高周波阻止コイル２４を介して増幅部１４の電源端子１４Ｐに供給される。
【００１６】
筐体２内には図１及び図２に示すように電源ケース２８も収容されている。電源ケース２８も、増幅ケース４と同様な金属製の偏平な直方体状に構成され、内部に水が侵入しないように防水構造とされている。この電源ケースの主平面２９には、端子、例えばいずれも接栓形の２つの電源部入力端子３０と電源部出力端子３２とが設けられている。
【００１７】
この電源ケース２８内には、電源部３４が設けられている。電源部３４は、これに接続されているプラグ３５を商用交流電源に接続すると、商用交流電源からの交流電圧を直流化し、かつ所定の直流電圧に変換するものである。この電源部３４からの直流電圧は、図３（ａ）及び（ｂ）に示すように高周波阻止コイル３６を介して電源部入力端子３０に供給され、この電源部入力端子３０は電源阻止コンデンサ３８を介して電源部出力端子３２に接続されている。高周波阻止コイル３６と電源阻止コンデンサ３８とによって電源重畳部３９が形成されている。なお、４０はバイパスコンデンサである。
【００１８】
従って、図３（ａ）に示すように、増幅ケース４の出力端子８と電源部入力端子３０とが、伝送路、例えば同軸ケーブルによって接続されていると、増幅部１４の出力信号は、出力端子８、同軸ケーブル、電源部入力端子３０、電源阻止コンデンサ３８を介して電源部出力端子３２に供給される。電源部出力端子３２を図示しない伝送路、例えば同軸ケーブルによってテレビジョン受信機に接続すると、テレビジョン受信機には、増幅されたテレビジョン放送信号が供給される。
【００１９】
一方、電源部３４からの直流電圧は、高周波阻止コイル３６、同軸ケーブル、出力端子８に供給され、上述したように増幅部１４に供給され、この増幅部１４が動作する。なお、プラグ３５は、図１及び図２に示すように、筐体２における入力端子６、出力端子８が設けられている端面の切り欠き４１から、筐体２の外部に導出されている。
【００２０】
この電源ケース２８は、増幅ケース４に対して着脱自在に設けられている。筐体２内に増幅ケース４と電源ケース２８とを収容したときに、増幅ケース４における入力端子６、出力端子８が設けられている端面と反対側の端面４２に、電源ケース２８の端面４４が接触する。これら接触している端面４２、４４は、筐体２の開放面と垂直な面である。端面４２に係止部４６、４６が、端面４４に係合部４８、４８が設けられている。これら係止部４６、４６と係合部４８、４８とを係合することによって、電源ケース２８を増幅ケース４に装着でき、係止部４６、４６を係合部４８、４８から離脱することによって電源ケース２８を増幅ケース４から分離できる。
【００２１】
この係止部４６、４６は、増幅ケース４の端面４２から離れるに従って幅寸法が広がる三角柱状に形成され、端面４２に間隔をおいて配置されている。また、係合部４８、４８は、端面４４から電源ケース２８の内側に向かうに従って幅寸法が広がる三角形状の溝で、主平面２９からこれと対向する主平面までの間を貫通して、係止部４６、４６と相補な形状に、係止部４６、４６と対応する位置に形成されている。
【００２２】
電源ケース２８を筐体２の開放面から筐体内に移動させるように、即ち開放面に対してほぼ垂直に電源ケース２８を移動させることによって、係止部４６、４６に係合部４８、４８を係止することができる。また、この係止状態を解除する場合、係止するときとは逆方向に電源ケース２８を移動させればよい。このように、電源ケース２８を筐体２の開放面に対して垂直な方向に沿って移動させることによって電源ケース２８を増幅ケース４に対して着脱することができ、着脱作業が容易である。また、端面４４に垂直な方向への電源ケース２８の移動が拘束されている。また、係止部４６、係合部４８は端面４２、４４に設けられているので、係止部４６、係合部４８が主平面５０、２９上に突出せず、この増幅器を小型化することができる。
【００２３】
また、増幅ケース４の主平面５０の端面４２側には、端面４２と直交して、主平面５０側と端面４２側に開口した凹部５２が形成されている。電源ケース２８の主平面２９にも、増幅ケース４と電源ケース２８とを装着した状態において凹部５２と対応するように、凹部５４が形成されている。凹部５４も、主平面２９側と端面４４側で開口している。
【００２４】
図２に示すように、凹部５２、５４内に電源端子５６、５８が設けられている。これら電源端子５６、５８の間に、導体、例えば導電性の棒状体６０が接続されている。電源端子５６、５８は、可撓性を有する金属製で、棒状体６０の長さ方向の両側から棒状体６０を把持するもので、棒状体６０は、電源端子５６、５８に着脱自在である。特に、凹部５２、５４は主平面５０、２９側に開口しているので、この開口から容易に棒状体６０の着脱が行える。また、電源端子５６、５８、棒状体６０が凹部５２、５４内に収容されているので、電源端子５６、５８、棒状体６０が主平面５０、２９上に突出せず、この増幅器を小型化することができる。
【００２５】
この電源端子５６は、図３（ａ）、（ｂ）に示すように、逆流阻止ダイオード６２のアノードに接続され、カソードは高周波阻止コイル２４と逆流阻止ダイオード２２のカソードとの接続点に接続されている。一方電源端子５８は、高周波阻止コイル３６と電源部入力端子３０と電源阻止コンデンサ３８の接続点に接続されている。従って、図３（ｂ）に示すように電源端子５６、５８間に導電性の棒状体６０を接続すると、電源部３４からの直流電圧は、高周波阻止コイル３６、電源端子５８、棒状体６０、電源端子５６、逆流阻止ダイオード６２、高周波阻止コイル２４を介して増幅部１４の電源端子１４Ｐに供給され、増幅部１４が動作する。
【００２６】
このように構成された増幅器では、例えば電源内蔵形として使用する場合、蓋を開いて、図２に示すように、筐体２内において係止部４６に係合部４８を係止させて、増幅ケース４に対して電源ケース２８を装着する。そして、導電性の棒状体６０を電源端子５４、５６に接続し、蓋を閉じる。この状態で、同軸ケーブルを介してアンテナと接続し、出力端子８に同軸ケーブルを介してテレビジョン受信機に接続する。さらにプラグ３５を商用交流電源に接続する。これによって、上述したように電源部３４から直流電圧が、高周波阻止コイル３６、電源端子５８、導体６０、電源端子５６、逆流阻止ダイオード６２、高周波阻止コイル２４を介して増幅部１４の電源端子１４Ｐに供給され、増幅部１４が動作する。入力端子６にアンテナから供給されたテレビジョン放送信号が増幅部１４で増幅され、出力端子８からテレビジョン受信機に供給される。なお、実際に使用する場合、増幅ケース４が下側に位置し、その上に電源ケース２８が乗った状態に、筐体２を立てて使用する。
【００２７】
また、電源内蔵形の状態から電源分離形として使用する場合、筐体２の蓋を外し、電源ケース２８を筐体２の開口面に対して垂直にかつ筐体２から離れる方向に移動させて、係止部４６に対する係合部４８の係止を解除する。同時に、導体６０も筐体２の開口面に対して垂直にかつ筐体２から離れる方向に移動させて、電源端子５６、５８から外す。蓋を閉じた後、筐体２を所定の位置に配置し、電源ケース２８を商用交流電源の近辺の位置に配置する。そして、入力端子６を同軸ケーブルを介してアンテナに接続し、出力端子８を電源部入力端子３０に同軸ケーブルを介して接続し、電源部出力端子３２を同軸ケーブルを介してテレビジョン受信機に接続する。さらにプラグ３５を商用交流電源に接続する。
【００２８】
この状態では、電源部３４からの直流電圧は、高周波阻止コイル３６、電源部入力端子３０、同軸ケーブル、出力端子８、高周波阻止コイル２０、逆流阻止ダイオード２２、高周波阻止コイル２４を介して増幅部１４の電源端子１４Ｐに供給され、増幅部１４が動作する。一方、入力端子６に供給されたテレビジョン放送信号は、増幅部１４で増幅され、電源阻止コンデンサ１６、出力端子８、同軸ケーブル、電源部入力端子２０、電源阻止コンデンサ３８、電源部出力端子３２、同軸ケーブルを介してテレビジョン受信機に供給される。
【００２９】
このように、この増幅器は、電源内蔵形、電源分離形いずれでも使用することができる。また、一体型とした状態では、係止部４６、係合部４８が主平面５０、２９から突出せず、また、導電性の棒状体６０も凹部５４、５６内に位置するので、これらがスペースを取ることがなく、この増幅器を小型化することができる。
【００３０】
なお、上記の実施の形態では、導電性の棒状体６０を使用したが、これに代えて、管入りヒューズを使用することもできる。この場合、電源内蔵形の状態において電源部３４から過大な電流が誤って増幅部１４に供給されることを防止できる。上記の実施の形態では、増幅ケース４及び電源ケース２８を防水構造としたが、筐体２を防水構造とすると、増幅ケース４及び電源ケース２８は、防水構造とする必要はない。上記の実施の形態では、商用交流電源を直流電源に変換したが、商用交流電源の電圧を所定の電圧の交流電圧に変換して、使用してもよい。
この場合、増幅部１４は、交流電圧に基づいて動作する。
【００３１】
【発明の効果】
以上のように、本発明による増幅器では、電源内蔵形及び電源分離形いずれの増幅器としても使用することができ、製造業者や工事業者は一種類の増幅のみを製造または使用すればよいので、管理の手間が省ける。更に、電源内蔵形から電源分離形への、或いは電源分離形から電源内蔵形への変更が容易に行えるので、作業性が向上する。
【図面の簡単な説明】
【図１】本発明の１実施形態の増幅器の組み立て図である。
【図２】図１の増幅器の平面図である。
【図３】図１の増幅器を電源分離形及び電源内蔵形として使用した場合のブロック図である。
【符号の説明】
２  筐体
４  増幅ケース
６  入力端子
８  出力端子
１４  増幅部
１８  電源分離部
２８  電源ケース
３０  電源部入力端子（端子）
３４  電源部
４６  係止部
４８  係合部
５６  電源端子（第１電源端子）
５８  電源端子（第２電源端子）
６０  導電性の棒状体（導体）
【図１】
0004584432.tif 000002
【図２】
0004584432.tif 000003
【図３】
0004584432.tif 000004